(57)【特許請求の範囲】
【請求項１】
第１の信号経路及び第２の信号経路と、
グランドと前記第１の信号経路及び前記第２の信号経路のそれぞれとを接続する第１のグランド経路及び第２のグランド経路と、
を備えており、
前記第１の信号経路は、第１のコイルを含んでおり、
前記第２の信号経路は、前記第１のコイルと第１のコモンモードチョークコイルを構成している第２のコイルを含んでおり、
前記第１のグランド経路は、第３のコイル及び該第３のコイルに直列接続されている第１のコンデンサを含んでおり、
前記第２のグランド経路は、前記第３のコイルと第２のコモンモードチョークコイルを構成している第４のコイル及び該第４のコイルに直列接続されている第２のコンデンサを含んでおり、
前記第１のグランド経路は、前記第１の信号経路の入力側の端部と前記第１のコイルとの間に接続されている第１の枝部、及び、該第１の信号経路の出力側の端部と該第１のコイルとの間に接続されている第２の枝部に枝分かれしており、
前記第２のグランド経路は、前記第２の信号経路の入力側の端部と前記第２のコイルとの間に接続されている第３の枝部、及び、該第２の信号経路の出力側の端部と該第２のコイルとの間に接続されている第４の枝部に枝分かれしており、
前記第３のコイルは、前記第１のグランド経路上の前記第１の枝部と前記第２の枝部との接続部分とグランドとの間に設けられており、
前記第４のコイルは、前記第２のグランド経路上の前記第３の枝部と前記第４の枝部との接続部分とグランドとの間に設けられており、
前記第１のコンデンサ及び前記第２のコンデンサはそれぞれ、前記第１の枝部上及び前記第３の枝部上に設けられており、
前記第１のグランド経路は、前記第２の枝部上に設けられている第３のコンデンサを含んでおり、
前記第２のグランド経路は、前記第４の枝部上に設けられている第４のコンデンサを含んでいること、
を特徴とするフィルタ回路。
【請求項２】
第１の信号経路及び第２の信号経路と、
グランドと前記第１の信号経路及び前記第２の信号経路のそれぞれとを接続する第１のグランド経路及び第２のグランド経路と、
を備えており、
前記第１の信号経路は、第１のコイルを含んでおり、
前記第２の信号経路は、前記第１のコイルと第１のコモンモードチョークコイルを構成している第２のコイルを含んでおり、
前記第１のグランド経路は、第３のコイル及び該第３のコイルに直列接続されている第１のコンデンサを含んでおり、
前記第２のグランド経路は、前記第３のコイルと第２のコモンモードチョークコイルを構成している第４のコイル及び該第４のコイルに直列接続されている第２のコンデンサを含んでおり、
前記第１のグランド経路は、前記第１の信号経路の入力側の端部と前記第１のコイルとの間に接続されている第１の枝部、及び、前記第２の信号経路の出力側の端部と前記第２のコイルとの間に接続されている第２の枝部に枝分かれしており、
前記第２のグランド経路は、前記第２の信号経路の入力側の端部と前記第２のコイルとの間に接続されている第３の枝部、及び、前記第１の信号経路の出力側の端部と前記第１のコイルとの間に接続されている第４の枝部に枝分かれしており、
前記第３のコイルは、前記第１のグランド経路上の前記第１の枝部と前記第２の枝部との接続部分とグランドとの間に設けられており、
前記第４のコイルは、前記第２のグランド経路上の前記第３の枝部と前記第４の枝部との接続部分とグランドとの間に設けられており、
前記第１のコンデンサ及び前記第２のコンデンサはそれぞれ、前記第１の枝部上及び前記第３の枝部上に設けられており、
前記第１のグランド経路は、前記第２の枝部上に設けられている第３のコンデンサを含んでおり、
前記第２のグランド経路は、前記第４の枝部上のそれぞれに設けられている第４のコンデンサを含んでいること、
を特徴とするフィルタ回路。
【請求項３】
第１の信号経路及び第２の信号経路と、
グランドと前記第１の信号経路及び前記第２の信号経路のそれぞれとを接続する第１のグランド経路及び第２のグランド経路と、
を備えており、
前記第１の信号経路は、第１のコイルを含んでおり、
前記第２の信号経路は、前記第１のコイルと第１のコモンモードチョークコイルを構成している第２のコイルを含んでおり、
前記第１のグランド経路は、第３のコイル及び該第３のコイルに直列接続されている第１のコンデンサを含んでおり、
前記第２のグランド経路は、前記第３のコイルと第２のコモンモードチョークコイルを構成している第４のコイル及び該第４のコイルに直列接続されている第２のコンデンサを含んでおり、
前記第１のグランド経路は、前記第１の信号経路の出力側の端部と前記第１のコイルとの間に接続されている第１の枝部、及び、前記第２の信号経路の出力側の端部と前記第２のコイルとの間に接続されている第２の枝部に枝分かれしており、
前記第２のグランド経路は、前記第２の信号経路の入力側の端部と前記第２のコイルとの間に接続されている第３の枝部、及び、前記第１の信号経路の入力側の端部と前記第１のコイルとの間に接続されている第４の枝部に枝分かれしており、
前記第３のコイルは、前記第１のグランド経路上の前記第１の枝部と前記第２の枝部との接続部分とグランドとの間に設けられており、
前記第４のコイルは、前記第２のグランド経路上の前記第３の枝部と前記第４の枝部との接続部分とグランドとの間に設けられており、
前記第１のコンデンサ及び前記第２のコンデンサはそれぞれ、前記第１の枝部上及び前記第３の枝部上に設けられており、
前記第１のグランド経路は、前記第２の枝部上に設けられている第３のコンデンサを含んでおり、
前記第２のグランド経路は、前記第４の枝部上に設けられている第４のコンデンサを含んでいること、
を特徴とするフィルタ回路。
【請求項４】
請求項１ないし請求項３のいずれかに記載のフィルタ回路を内蔵していることを特徴とする電子部品。
【請求項５】
複数の絶縁体層が積層されてなる積層体を、
備えており、
前記第１の信号経路、前記第２の信号経路、前記第１のグランド経路及び前記第２のグランド経路は、前記絶縁体層に設けられている導体層及びビアホール導体により構成されていること、
を特徴とする請求項４に記載の電子部品。
【請求項６】
前記第１のコンデンサ又は前記第２のコンデンサは、前記第１のコイル及び前記第２のコイルと、前記第３のコイル及び前記第４のコイルとにより積層方向において挟まれていること、
を特徴とする請求項５に記載の電子部品。
【発明の詳細な説明】
【技術分野】
【０００１】
本発明は、フィルタ回路及び電子部品に関し、より特定的には、コモンモードチョークコイルを内蔵しているフィルタ回路及び電子部品に関する。
【背景技術】
【０００２】
差動伝送方式の信号線においてノイズを除去する場合には、コモンモードチョークコイルが用いられる。コモンモードチョークコイルは、２つのコイルを電磁気的に結合させて構成されている。そして、コモンモードチョークコイルは、コモンモードの信号に対してはフィルタとして作用し、ノーマルモードの信号に対してはフィルタとして作用しない特性を有している。これにより、コモンモードチョークコイルは、差動伝送方式の信号線において発生するコモンモードノイズを除去することができる。
【０００３】
ところで、コモンモードチョークコイルは、使用される電子機器（例えば携帯電話機）において用いられる周波数帯域において、コモンモードノイズを効果的に除去する必要がある。そこで、所望の周波数特性を有するフィルタ回路を得るために、コモンモードチョークコイルは、コイルやコンデンサ等の電子部品と組み合わされて用いられる。図１２は、コモンモードチョークコイルを含んだフィルタ回路５００の回路図である。図１３（ａ）は、フィルタ回路５００及びフィルタ回路５００のコモンモードチョークコイルＬ５００のコモンモードの信号に対する周波数特性を示しており、図１３（ｂ）は、フィルタ回路５００及びフィルタ回路５００のコモンモードチョークコイルＬ５００のノーマルモードの信号に対する周波数特性を示している。図１３において、縦軸は挿入損失を示し、横軸は周波数を示している。また、図１３において、点線はコモンモードチョークコイルＬ５００の周波数特性を示しており、実線はフィルタ回路５００の周波数特性を示している。以下に、図面を参照しながら、フィルタ回路５００について説明する。
【０００４】
フィルタ回路５００は、図１２に示すように、信号経路Ｓｉｇ５０１，Ｓｉｇ５０２、グランド経路Ｇ５０１，Ｇ５０２及び外部電極５１４（５１４ａ〜５１４ｄ）を備えている。信号経路Ｓｉｇ５０１，Ｓｉｇ５０２はそれぞれ、例えば、差動伝送信号が伝送される信号経路であり、コイルＬ５０１，Ｌ５０２を含んでいる。コイルＬ５０１，Ｌ５０２はそれぞれ、信号経路Ｓｉｇ５０１，Ｓｉｇ５０２上に設けられており、互いに電磁気的に結合することによりコモンモードチョークコイルＬ５００を構成している。コモンモードチョークコイルＬ５００は、チップ型の電子部品により構成されている。
【０００５】
外部電極５１４ａ，５１４ｂはそれぞれ、信号経路Ｓｉｇ５０１の両端に設けられており、入力端子及び出力端子として機能する。外部電極５１４ｃ，５１４ｄはそれぞれ、信号経路Ｓｉｇ５０２の両端に設けられており、入力端子及び出力端子として機能する。
【０００６】
グランド経路Ｇ５０１，Ｇ５０２はそれぞれ、コイルＬ５０１，Ｌ５０２と外部電極５１４ａ，５１４ｃとの間と、グランドとの間に接続されている。グランド経路Ｇ５０１，Ｇ５０２はそれぞれ、コンデンサＣ５０１，Ｃ５０２を含んでいる。コンデンサＣ５０１，Ｃ５０２は、例えば、コモンモードチョークコイルＬ５００とは異なるチップ型の電子部品により構成されている。そのため、コモンモードチョークコイルＬ５００とコンデンサＣ５０１，Ｃ５０２との間には、信号線や端子の接続部分等が存在している。したがって、図１２に示すように、グランド経路Ｇ５０１，Ｇ５０２にはそれぞれ、残留インダクタＬ５０３，Ｌ５０４が発生している。よって、コンデンサＣ５０１，Ｃ５０２及び残留インダクタＬ５０３，Ｌ５０４によりフィルタが構成されている。
【０００７】
以上のようなフィルタ回路５００では、図１３（ａ）に示すように、高周波帯域におけるコモンモードの信号に対する挿入損失が大きくなっていることがわかる。より詳細には、コモンモードチョークコイルＬ５００の挿入損失は、６００ＭＨｚ近傍において最大となっている。一方、フィルタ回路５００では、グランド経路Ｇ５０１，Ｇ５０２のそれぞれにコンデンサＣ５０１，Ｃ５０２及び残留インダクタＬ５０３，Ｌ５０４からなるフィルタが設けられているので、高周波信号はグランド経路Ｇ５０１，Ｇ５０２を経由してグランドへと流れていく。よって、フィルタ回路５００の挿入損失は、６００ＭＨｚよりも高い２ＧＨｚ近傍において最大となっている。
【０００８】
ここで、コモンモードチョークコイルＬ５００の挿入損失と、コンデンサＣ５０１，Ｃ５０２及び残留インダクタＬ５０３，Ｌ５０４からなるフィルタの挿入損失が最大となる周波数（すなわち共振周波数）は、コモンモードチョークコイルＬ、コンデンサＣ５０１、Ｃ５０２及び残留インダクタＬ５０３，Ｌ５０４の定数を変えることにより任意周波数で設定が可能である。２つの共振周波数を近づけた場合には特定周波数で極めて大きな挿入損失を持たせることができ、逆に２つの共振周波数を離した場合にはフィルタリング周波数の広帯域化が可能となる。
【０００９】
しかしながら、フィルタ回路５００は、以下に説明するように、有効なノーマルモードの信号に対する挿入損失が増加するという問題を有する。より詳細には、フィルタ回路５００では、コンデンサＣ５０１，Ｃ５０２及び残留インダクタＬ５０３，Ｌ５０４からなるフィルタにより、ノーマルモードの信号に対しても２ＧＨｚ近傍において挿入損失が最大となってしまう。ところが、ノーマルモードの信号は、ノイズではなく差動伝送に使用される有効な信号である。よって、フィルタ回路５００では、有効なノーマルモードの信号が除去されてしまう。
【００１０】
なお、従来のフィルタ回路としては、例えば、特許文献１に記載の積層型コモンモードフィルタが知られている。該フィルタ回路では、コモンモードチョークコイルを構成しているコイルのそれぞれにコンデンサが並列接続されている。しかしながら、特許文献１では、有効なノーマルモードの信号の除去を低減することについて言及されていない。
【先行技術文献】
【特許文献】
【００１１】
【特許文献１】特開２００７−１５９０６９号公報
【発明の概要】
【発明が解決しようとする課題】
【００１２】
そこで、本発明の目的は、コモンモードの信号に対する周波数特性の広帯域化を図ることができるとともに、有効なノーマルモードの信号が除去されることを低減できるフィルタ回路及び電子部品を提供することである。
【課題を解決するための手段】
【００１３】
本発明の第１の形態に係るフィルタ回路は、第１の信号経路及び第２の信号経路と、グランドと前記第１の信号経路及び前記第２の信号経路のそれぞれとを接続する第１のグランド経路及び第２のグランド経路と、を備えており、前記第１の信号経路は、第１のコイルを含んでおり、前記第２の信号経路は、前記第１のコイルと第１のコモンモードチョークコイルを構成している第２のコイルを含んでおり、前記第１のグランド経路は、第３のコイル及び該第３のコイルに直列接続されている第１のコンデンサを含んでおり、前記第２のグランド経路は、前記第３のコイルと第２のコモンモードチョークコイルを構成している第４のコイル及び該第４のコイルに直列接続されている第２のコンデンサを含んでおり、前記第１のグランド経路は、前記第１の信号経路の入力側の端部と前記第１のコイルとの間に接続されている第１の枝部、及び、該第１の信号経路の出力側の端部と該第１のコイルとの間に接続されている第２の枝部に枝分かれしており、前記第２のグランド経路は、前記第２の信号経路の入力側の端部と前記第２のコイルとの間に接続されている第３の枝部、及び、該第２の信号経路の出力側の端部と該第２のコイルとの間に接続されている第４の枝部に枝分かれしており、前記第３のコイルは、前記第１のグランド経路上の前記第１の枝部と前記第２の枝部との接続部分とグランドとの間に設けられており、前記第４のコイルは、前記第２のグランド経路上の前記第３の枝部と前記第４の枝部との接続部分とグランドとの間に設けられており、前記第１のコンデンサ及び前記第２のコンデンサはそれぞれ、前記第１の枝部上及び前記第３の枝部上に設けられており、前記第１のグランド経路は、前記第２の枝部上に設けられている第３のコンデンサを含んでおり、前記第２のグランド経路は、前記第４の枝部上に設けられている第４のコンデンサを含んでいること、を特徴とする。
本発明の第２の形態に係るフィルタ回路は、第１の信号経路及び第２の信号経路と、グランドと前記第１の信号経路及び前記第２の信号経路のそれぞれとを接続する第１のグランド経路及び第２のグランド経路と、を備えており、前記第１の信号経路は、第１のコイルを含んでおり、前記第２の信号経路は、前記第１のコイルと第１のコモンモードチョークコイルを構成している第２のコイルを含んでおり、前記第１のグランド経路は、第３のコイル及び該第３のコイルに直列接続されている第１のコンデンサを含んでおり、前記第２のグランド経路は、前記第３のコイルと第２のコモンモードチョークコイルを構成している第４のコイル及び該第４のコイルに直列接続されている第２のコンデンサを含んでおり、前記第１のグランド経路は、前記第１の信号経路の入力側の端部と前記第１のコイルとの間に接続されている第１の枝部、及び、前記第２の信号経路の出力側の端部と前記第２のコイルとの間に接続されている第２の枝部に枝分かれしており、前記第２のグランド経路は、前記第２の信号経路の入力側の端部と前記第２のコイルとの間に接続されている第３の枝部、及び、前記第１の信号経路の出力側の端部と前記第１のコイルとの間に接続されている第４の枝部に枝分かれしており、前記第３のコイルは、前記第１のグランド経路上の前記第１の枝部と前記第２の枝部との接続部分とグランドとの間に設けられており、前記第４のコイルは、前記第２のグランド経路上の前記第３の枝部と前記第４の枝部との接続部分とグランドとの間に設けられており、前記第１のコンデンサ及び前記第２のコンデンサはそれぞれ、前記第１の枝部上及び前記第３の枝部上に設けられており、前記第１のグランド経路は、前記第２の枝部上に設けられている第３のコンデンサを含んでおり、前記第２のグランド経路は、前記第４の枝部上のそれぞれに設けられている第４のコンデンサを含んでいること、を特徴とする。
本発明の第３の形態に係るフィルタ回路は、第１の信号経路及び第２の信号経路と、グランドと前記第１の信号経路及び前記第２の信号経路のそれぞれとを接続する第１のグランド経路及び第２のグランド経路と、を備えており、前記第１の信号経路は、第１のコイルを含んでおり、前記第２の信号経路は、前記第１のコイルと第１のコモンモードチョークコイルを構成している第２のコイルを含んでおり、前記第１のグランド経路は、第３のコイル及び該第３のコイルに直列接続されている第１のコンデンサを含んでおり、前記第２のグランド経路は、前記第３のコイルと第２のコモンモードチョークコイルを構成している第４のコイル及び該第４のコイルに直列接続されている第２のコンデンサを含んでおり、前記第１のグランド経路は、前記第１の信号経路の出力側の端部と前記第１のコイルとの間に接続されている第１の枝部、及び、前記第２の信号経路の出力側の端部と前記第２のコイルとの間に接続されている第２の枝部に枝分かれしており、前記第２のグランド経路は、前記第２の信号経路の入力側の端部と前記第２のコイルとの間に接続されている第３の枝部、及び、前記第１の信号経路の入力側の端部と前記第１のコイルとの間に接続されている第４の枝部に枝分かれしており、前記第３のコイルは、前記第１のグランド経路上の前記第１の枝部と前記第２の枝部との接続部分とグランドとの間に設けられており、前記第４のコイルは、前記第２のグランド経路上の前記第３の枝部と前記第４の枝部との接続部分とグランドとの間に設けられており、前記第１のコンデンサ及び前記第２のコンデンサはそれぞれ、前記第１の枝部上及び前記第３の枝部上に設けられており、前記第１のグランド経路は、前記第２の枝部上に設けられている第３のコンデンサを含んでおり、前記第２のグランド経路は、前記第４の枝部上に設けられている第４のコンデンサを含んでいること、を特徴とする。
【００１４】
本発明の一形態に係る電子部品は、前記フィルタ回路を内蔵している。
【発明の効果】
【００１５】
本発明によれば、コモンモードの信号に対する周波数特性の広帯域化を図ることができるとともに、有効なノーマルモードの信号が除去されることを低減できる。
【図面の簡単な説明】
【００１６】
【図１】本発明の一実施形態に係るフィルタ回路の回路図である。
【図２】一実施形態に係る電子部品の外観斜視図である。
【図３】一実施形態に係る電子部品の積層体の分解斜視図である。
【図４】第１の変形例に係るフィルタ回路の回路図である。
【図５】第１の変形例に係るフィルタ回路を内蔵している電子部品の積層体の分解斜視図である。
【図６】第２の変形例に係るフィルタ回路の回路図である。
【図７】第２の変形例に係るフィルタ回路を内蔵している電子部品の積層体の分解斜視図である。
【図８】第３の変形例に係るフィルタ回路の回路図である。
【図９】第３の変形例に係るフィルタ回路を内蔵している電子部品の積層体の分解斜視図である。
【図１０】第４の変形例に係るフィルタ回路の回路図である。
【図１１】第４の変形例に係るフィルタ回路を内蔵している電子部品の積層体の分解斜視図である。
【図１２】コモンモードチョークコイルを含んだフィルタ回路の回路図である。
【図１３】図１３（ａ）は、フィルタ回路及びフィルタ回路のコモンモードチョークコイルのコモンモードの信号に対する周波数特性を示しており、図１３（ｂ）は、フィルタ回路及びフィルタ回路のコモンモードチョークコイルのノーマルモードの信号に対する周波数特性を示している。
【発明を実施するための形態】
【００１７】
以下に、本発明の実施形態に係るフィルタ回路及び電子部品について説明する。
【００１８】
（フィルタ回路の構成）
本発明の一実施形態に係るフィルタ回路の構成について図面を参照しながら説明する。図１は、本発明の一実施形態に係るフィルタ回路１０ａの回路図である。
【００１９】
フィルタ回路１０ａは、図１に示すように、信号経路Ｓｉｇ１，Ｓｉｇ２、グランド経路Ｇ１，Ｇ２及び外部電極１４（１４ａ〜１４ｅ）を備えている。
【００２０】
信号経路Ｓｉｇ１，Ｓｉｇ２はそれぞれ、例えば、差動伝送信号が伝送される信号経路であり、コイルＬ１，Ｌ２を含んでいる。コイルＬ１，Ｌ２はそれぞれ、信号経路Ｓｉｇ１，Ｓｉｇ２上に設けられており、互いに電磁気的に結合することによりコモンモードチョークコイルＬ１０１を構成している。
【００２１】
外部電極１４ａは、信号経路Ｓｉｇ１の入力側の端部に設けられており、入力端子として機能する。外部電極１４ｂは、信号経路Ｓｉｇ１の出力側の端部に設けられており、出力端子として機能する。外部電極１４ｃは、信号経路Ｓｉｇ２の入力側の端部に設けられており、入力端子として機能する。外部電極１４ｄは、信号経路Ｓｉｇ２の出力側の端部に設けられており、出力端子として機能する。
【００２２】
グランド経路Ｇ１，Ｇ２はそれぞれ、グランドと信号経路Ｓｉｇ１，Ｓｉｇ２のそれぞれとを接続する。具体的には、グランド経路Ｇ１の一端は、外部電極１４ａ（すなわち、信号経路Ｓｉｇ１の入力側の端部）とコイルＬ１との間に接続されている。グランド経路Ｇ１の他端は、外部電極１４ｅに接続されている。グランド経路Ｇ２の一端は、外部電極１４ｃ（すなわち、信号経路Ｓｉｇ２の入力側の端部）とコイルＬ２との間に接続されている。グランド経路Ｇ２の他端は、外部電極１４ｅに接続されている。外部電極１４ｅは、グランド端子として機能する。
【００２３】
また、グランド経路Ｇ１は、コンデンサＣ１及びコイルＬ３を含んでいる。コンデンサＣ１とコイルＬ３とは直列接続されている。そして、コイルＬ３は、コンデンサＣ１と外部電極１４ｅ（すなわち、グランド）との間に設けられている。
【００２４】
また、グランド経路Ｇ２は、コンデンサＣ２及びコイルＬ４を含んでいる。コンデンサＣ２とコイルＬ４とは直列接続されている。そして、コイルＬ４は、コンデンサＣ２と外部電極１４ｅ（すなわち、グランド）との間に設けられている。
【００２５】
また、コイルＬ３，Ｌ４は、互いに電磁気的に結合することによりコモンモードチョークコイルＬ１０２を構成している。
【００２６】
（電子部品の構成）
次に、フィルタ回路１０ａを内蔵している電子部品１１ａの構成について図面を参照しながら説明する。図２は、一実施形態に係る電子部品１１ａの外観斜視図である。図３は、一実施形態に係る電子部品１１ａの積層体１２の分解斜視図である。以下では、電子部品１１ａの積層体１２の積層方向をｚ軸方向と定義する。また、ｚ軸方向から平面視したときに積層体１２の長辺が延在している方向をｘ軸方向と定義し、ｚ軸方向から平面視したときに積層体１２の短辺が延在している方向をｙ軸方向と定義する。
【００２７】
電子部品１１ａは、図２及び図３に示すように、積層体１２、外部電極１４（１４ａ〜１４ｅ）、信号経路Ｓｉｇ１，Ｓｉｇ２及びグランド経路Ｇ１，Ｇ２を備えている。
【００２８】
積層体１２は、直方体状をなしており、図３に示すように、絶縁体層１６（１６ａ〜１６ｋ）が積層されることにより構成されている。絶縁体層１６は、長方形状をなしており、誘電体材料、磁性体材料又はガラス材料により作製されている。そして、絶縁体層１６ａ〜１６ｋは、ｚ軸方向の正方向側から負方向側へとこの順に並ぶように積層されている。以下では、絶縁体層１６のｚ軸方向の正方向側の面を表面と称し、絶縁体層１６のｚ軸方向の負方向側の面を裏面と称す。
【００２９】
外部電極１４ａ，１４ｃは、図２に示すように、積層体１２のｙ軸方向の正方向側の側面に設けられており、ｘ軸方向の負方向側から正方向側へとこの順に並んでいる。外部電極１４ｂ，１４ｄは、積層体１２のｙ軸方向の負方向側の側面に設けられており、ｘ軸方向の負方向側から正方向側へとこの順に並んでいる。外部電極１４ｅは、積層体１２のｘ軸方向の負方向側の側面に設けられている。外部電極１４ａ，１４ｃは入力端子として機能し、外部電極１４ｂ，１４ｄは出力端子として機能する。また、外部電極１４ｅはグランド端子として機能する。
【００３０】
信号経路Ｓｉｇ１は、図３に示すように、コイル導体１８ａ、引き出し導体２０ａ及びビアホール導体ｖ１により構成されている。コイル導体１８ａは、信号経路Ｓｉｇ１上に設けられているコイルＬ１を構成しており、絶縁体層１６ｃの表面上に設けられている導体層である。コイル導体１８ａは、線状導体が折り曲げられることにより構成されており、ｚ軸方向の正方向側から平面視したときに、中心に向かって時計回りに旋回する渦巻形状をなしている。コイル導体１８ａの一端は、絶縁体層１６ｃの中央（対角線の交点）近傍に位置している。コイル導体１８ａの他端は、絶縁体層１６ｃのｙ軸方向の負方向側の長辺に引き出されており、外部電極１４ｂに接続されている。
【００３１】
引き出し導体２０ａは、線状導体であり、絶縁体層１６ｂの表面上に設けられている導体層である。引き出し導体２０ａの一端は、ｚ軸方向から平面視したときに、コイル導体１８ａの一端と重なっており、絶縁体層１６ｂの中央（対角線の交点）近傍に位置している。引き出し導体２０ａの他端は、絶縁体層１６ｂのｙ軸方向の正方向側の長辺に引き出されており、外部電極１４ａに接続されている。
【００３２】
ビアホール導体ｖ１は、絶縁体層１６ｂをｚ軸方向に貫通しており、コイル導体１８ａの一端と引き出し導体２０ａの一端とを接続している。これにより、外部電極１４ａ，１４ｂ間にコイルＬ１を有する信号経路Ｓｉｇ１が設けられている。
【００３３】
信号経路Ｓｉｇ２は、図３に示すように、コイル導体１８ｂ、引き出し導体２０ｂ及びビアホール導体ｖ２により構成されている。コイル導体１８ｂは、信号経路Ｓｉｇ２上に設けられているコイルＬ２を構成しており、絶縁体層１６ｄの表面上に設けられている導体層である。コイル導体１８ｂは、線状導体が折り曲げられることにより構成されており、ｚ軸方向の正方向側から平面視したときに、中心に向かって時計回りに旋回する渦巻形状をなしている。コイル導体１８ｂは、ｚ軸方向から平面視したときに、コイル導体１８ａと重なっており、該コイル導体１８ａと電磁気的に結合している。これにより、コイルＬ１とコイルＬ２とは、コモンモードチョークコイルＬ１０１を構成している。コイル導体１８ｂの一端は、絶縁体層１６ｄの中央（対角線の交点）近傍に位置している。コイル導体１８ｂの他端は、絶縁体層１６ｄのｙ軸方向の負方向側の長辺に引き出されており、外部電極１４ｄに接続されている。
【００３４】
引き出し導体２０ｂは、線状導体であり、絶縁体層１６ｅの表面上に設けられている導体層である。引き出し導体２０ｂの一端は、ｚ軸方向から平面視したときに、コイル導体１８ｂの一端と重なっており、絶縁体層１６ｅの中央（対角線の交点）近傍に位置している。引き出し導体２０ｂの他端は、絶縁体層１６ｅのｙ軸方向の正方向側の長辺に引き出されており、外部電極１４ｃに接続されている。
【００３５】
ビアホール導体ｖ２は、絶縁体層１６ｄをｚ軸方向に貫通しており、コイル導体１８ｂの一端と引き出し導体２０ｂの一端とを接続している。これにより、外部電極１４ｃ，１４ｄ間にコイルＬ２を有する信号経路Ｓｉｇ２が設けられている。
【００３６】
グランド経路Ｇ１は、図３に示すように、コイル導体１８ｃ、コンデンサ導体２２ａ，２２ｂ及びビアホール導体ｖ３により構成されている。コンデンサ導体２２ａ，２２ｂはそれぞれ、グランド経路Ｇ１上に設けられているコンデンサＣ１を構成しており、絶縁体層１６ｆ，１６ｇの表面上に設けられている導体層である。コンデンサ導体２２ａ，２２ｂはそれぞれ、長方形状をなしており、ｚ軸方向から平面視したときに、互いに重なり合っている。コンデンサ導体２２ａは、絶縁体層１６ｆのｙ軸方向の正方向側の長辺に引き出されており、外部電極１４ａに接続されている。これにより、グランド経路Ｇ１は、外部電極１４ａとコイルＬ１との間（本実施形態では外部電極１４ａ）に接続されている。
【００３７】
コイル導体１８ｃは、グランド経路Ｇ１上に設けられているコイルＬ３を構成しており、絶縁体層１６ｈの表面上に設けられている導体層である。コイル導体１８ｃは、線状導体が折り曲げられることにより構成されており、ｚ軸方向の正方向側から平面視したときに、中心に向かって時計回りに旋回する渦巻形状をなしている。コイル導体１８ｃの一端は、絶縁体層１６ｈの中央（対角線の交点）近傍に位置している。コイル導体１８ｃの他端は、絶縁体層１６ｈのｘ軸方向の負方向側の短辺に引き出されており、外部電極１４ｅに接続されている。
【００３８】
また、ビアホール導体ｖ３は、絶縁体層１６ｇをｚ軸方向に貫通しており、コンデンサ導体２２ｂとコイル導体１８ｃの一端とを接続している。これにより、コイルＬ３とコンデンサＣ１とが直列接続されている。更に、外部電極１４ａ，１４ｅ間にコイルＬ３及びコンデンサＣ１を有するグランド経路Ｇ１が設けられている。
【００３９】
グランド経路Ｇ２は、図３に示すように、コイル導体１８ｄ、コンデンサ導体２２ｃ，２２ｄ及びビアホール導体ｖ４により構成されている。コンデンサ導体２２ｃ，２２ｄはそれぞれ、グランド経路Ｇ２上に設けられているコンデンサＣ２を構成しており、絶縁体層１６ｊ，１６ｋの表面上に設けられている導体層である。コンデンサ導体２２ｃ，２２ｄはそれぞれ、長方形状をなしており、ｚ軸方向から平面視したときに、互いに重なり合っている。コンデンサ導体２２ｄは、絶縁体層１６ｋのｙ軸方向の正方向側の長辺に引き出されており、外部電極１４ｃに接続されている。これにより、グランド経路Ｇ２は、外部電極１４ｃとコイルＬ２との間（本実施形態では外部電極１４ｃ）に接続されている。
【００４０】
コイル導体１８ｄは、グランド経路Ｇ２上に設けられているコイルＬ４を構成しており、絶縁体層１６ｉの表面上に設けられている導体層である。コイル導体１８ｄは、線状導体が折り曲げられることにより構成されており、ｚ軸方向の正方向側から平面視したときに、中心に向かって時計回りに旋回する渦巻形状をなしている。すなわち、コイル導体１８ｃとコイル導体１８ｄとは同じ形状を有しており、ｚ軸方向から平面視したときに、一致した状態で重なっている。これにより、コイルＬ３とコイルＬ４とは、互いに磁気結合し、コモンモードチョークコイルＬ１０２を構成している。コイル導体１８ｄの一端は、絶縁体層１６ｉの中央（対角線の交点）近傍に位置している。コイル導体１８ｄの他端は、絶縁体層１６ｉのｘ軸方向の負方向側の短辺に引き出されており、外部電極１４ｅに接続されている。
【００４１】
また、ビアホール導体ｖ４は、絶縁体層１６ｉをｚ軸方向に貫通しており、コンデンサ導体２２ｃとコイル導体１８ｄの一端とを接続している。これにより、コイルＬ４とコンデンサＣ２とが直列接続されている。更に、外部電極１４ｃ，１４ｅ間にコイルＬ４及びコンデンサＣ２を有するグランド経路Ｇ２が接続されている。
【００４２】
以上のように構成された電子部品１１ａでは、コンデンサＣ１は、コイルＬ１，Ｌ２とコイルＬ３，Ｌ４とにｚ軸方向において挟まれている。
【００４３】
ここで、電子部品１１ａの動作ついて説明する。電子部品１１ａは、回路基板に実装されて用いられる。この際、外部電極１４ａ，１４ｃは入力端子として用いられ、外部電極１４ｂ，１４ｄは出力端子として用いられ、外部電極１４ｅはグランド端子として用いられる。そして、電子部品１１ａは、コイルＬ１，Ｌ２からなるコモンモードチョークコイルＬ１０１を備えているので、以下に説明するように、信号経路Ｓｉｇ１，Ｓｉｇ２において、コモンモードの信号に対する挿入損失が大きく、ノーマルモードの信号に対する挿入損失が小さい。
【００４４】
コモンモードの信号は、同相信号であるので、信号経路Ｓｉｇ１において外部電極１４ａから外部電極１４ｂへと流れ、信号経路Ｓｉｇ２において外部電極１４ｃから外部電極１４ｄへと流れると、コイル導体１８ａ，１８ｂでは同じ方向に旋回するように流れる。そのため、コイル導体１８ａ，１８ｂでは、同じ方向に磁束が発生し、コモンモードの信号に対するインダクタンスが発生する。よって、コモンモードの信号が信号経路Ｓｉｇ１，Ｓｉｇ２を通過することが妨げられる。すなわち、信号経路Ｓｉｇ１，Ｓｉｇ２においてコモンモードの信号に対する挿入損失が大きい。
【００４５】
一方、ノーマルモードの信号は、逆相信号であるので、信号経路Ｓｉｇ１において外部電極１４ａから外部電極１４ｂへと流れ、信号経路Ｓｉｇ２において外部電極１４ｄから外部電極１４ｃへと流れると、コイル導体１８ａ，１８ｂでは互いに逆方向に旋回するように流れる。そのため、コイル導体１８ａ，１８ｂでは、逆方向に磁束が発生する。したがって、コイル導体１８ａ，１８ｂにおいて発生する磁束は相殺される。よって、コイルＬ１，Ｌ２がノーマルモードの信号に対してはコイルとして殆ど機能しない（すなわち、インダクタンス値が極めて小さくなる）ため、信号経路Ｓｉｇ１，Ｓｉｇ２を通過することが妨げられない。すなわち、信号経路Ｓｉｇ１，Ｓｉｇ２においてノーマルモードの信号に対する挿入損失が小さい。
【００４６】
更に、電子部品１１ａは、コンデンサＣ１及びコイルＬ３を有するグランド経路Ｇ１、及び、コンデンサＣ２及びコイルＬ３を有するグランド経路Ｇ２を有している。そのため、以下に説明するように、コンデンサＣ１及びコイルＬ３により構成されるフィルタ及びコンデンサＣ２及びコイルＬ４により構成されるフィルタによって、コモンモードの信号に対する周波数特性を広帯域化できるとともに、有効なノーマルモードの信号が除去されることを低減できる。
【００４７】
コイルＬ３，Ｌ４はコモンモードチョークコイルＬ１０２を構成している。コモンモードチョークコイルＬ１０２は、コモンモードの信号に対しては大きなインダクタンス値を発揮し、ノーマルモードの信号に対しては小さなインダクタンス値を発揮する。インダクタンス値Ｌのコイルと容量Ｃのコンデンサからなるフィルタの共振周波数ｆは、ｆ＝１／２π√（ＬＣ）により表される。よって、コイルＬ３，Ｌ４及びコンデンサＣ１，Ｃ２からなるフィルタの共振周波数は、コモンモードの信号では相対的に低く、ノーマルモードでは相対的に高くなる。すなわち、コイルＬ３，Ｌ４をコモンモードチョークコイルＬ１０２とすることにより、ノーマルモードの信号に対する共振周波数とコモンモードの信号に対する共振周波数とを異ならせることができる。
【００４８】
そこで、電子部品１１ａにおいて、コイルＬ３，Ｌ４及びコンデンサＣ１，Ｃ２からなるフィルタのコモンモードの信号に対する共振周波数を、電子部品１１ａが用いられる電子機器で使用される周波数帯域に合わせて設計すればよい。これにより、コモンモードの信号に対する周波数特性の広帯域化を図ることができる。
【００４９】
更に、コイルＬ３，Ｌ４及びコンデンサＣ１，Ｃ２からなるフィルタのノーマルモードの信号に対する共振周波数は、コイルＬ３，Ｌ４及びコンデンサＣ１，Ｃ２からなるフィルタのコモンモードの信号に対する共振周波数よりも高くなる。よって、電子部品１１ａにおいて、有効なノーマルモードの信号が除去されることが抑制される。
【００５０】
（電子部品の製造方法）
以下に、電子部品１１ａの製造方法について図面を参照しながら説明する。なお、以下では、複数の電子部品１１ａを同時に作成する際の電子部品１１ａの製造方法について説明する。
【００５１】
図３の絶縁体層１６となるべきセラミックグリーンシートを準備する。図３に示すように、絶縁体層１６ｂ，１６ｄ，１６ｇ，１６ｉとなるべきセラミックグリーンシートのそれぞれに、ビアホール導体ｖ１〜ｖ４を形成する。具体的には、絶縁体層１６ｂ，１６ｄ，１６ｇ，１６ｉとなるべきセラミックグリーンシートにレーザビームを照射してビアホールを形成する。次に、このビアホールに対して、Ａｇ，Ｐｄ，Ｃｕ，Ａｕやこれらの合金などの導電性ペーストを印刷塗布などの方法により充填する。
【００５２】
次に、図３に示すように、絶縁体層１６ｂ〜１６ｋとなるべきセラミックグリーンシートの表面上にコイル導体１８、引き出し導体２０及びコンデンサ導体２２を形成する。具体的には、絶縁体層１６ｂ〜１６ｋとなるべきセラミックグリーンシートの表面上に、Ａｇ，Ｐｄ，Ｃｕ，Ａｕやこれらの合金などを主成分とする導電性ペーストをスクリーン印刷法やフォトリソグラフィ法などの方法で塗布することにより、コイル導体１８、引き出し導体２０及びコンデンサ導体２２を形成する。なお、コイル導体１８、引き出し導体２０及びコンデンサ導体２２を形成する工程とビアホールに対して導電性ペーストを充填する工程とは、同じ工程において行われてもよい。
【００５３】
次に、図３に示すように、絶縁体層１６ａ〜１６ｋとなるべきセラミックグリーンシートをこの順に並ぶように積層・圧着して、未焼成のマザー積層体を得る。絶縁体層１６ａ〜１６ｋとなるべきセラミックグリーンシートの積層・圧着は、１枚ずつ積層して仮圧着してマザー積層体を得た後、未焼成のマザー積層体を静水圧プレスなどにより加圧して本圧着を行う。
【００５４】
次に、マザー積層体をカット刃により所定寸法の積層体１２にカットする。その後、未焼成の積層体１２に、脱バインダー処理及び焼成を施す。
【００５５】
次に、Ａｇを主成分とする導電性材料からなる電極ペーストを積層体１２に塗布して、外部電極１４となるべき銀電極を形成する。更に、外部電極１４となるべき銀電極の表面に、Ｎｉめっき／Ｓｎめっきを施すことにより、外部電極１４を形成する。以上の工程により、図２に示すような電子部品１１ａが完成する。
【００５６】
（効果）
フィルタ回路１０ａ及び電子部品１１ａによれば、コモンモードの信号に対する周波数特性の広帯域化を図ることができるとともに、有効なノーマルモードの信号が除去されることを低減できる。なお、かかる効果については、電子部品１１ａの動作において既に説明を行ったので、これ以上の説明を省略する。
【００５７】
（第１の変形例）
以下に、第１の変形例に係るフィルタ回路１０ｂについて図面を参照しながら説明する。図４は、第１の変形例に係るフィルタ回路１０ｂの回路図である。
【００５８】
フィルタ回路１０ｂとフィルタ回路１０ａとの相違点は、コンデンサＣ１，Ｃ２とコイルＬ３，Ｌ４とが入れ替わっている点である。より詳細には、図４に示すように、フィルタ回路１０ｂでは、コンデンサＣ１，Ｃ２はそれぞれ、外部電極１４ｅ（グランド）とコイルＬ３，Ｌ４との間に設けられている。なお、フィルタ回路１０ｂのその他の構成については、フィルタ回路１０ａと同じであるので、説明を省略する。
【００５９】
次に、第１の変形例に係るフィルタ回路１０ｂを内蔵している電子部品１１ｂの構成について図面を参照しながら説明する。図５は、第１の変形例に係るフィルタ回路１０ｂを内蔵している電子部品１１ｂの積層体１２の分解斜視図である。
【００６０】
電子部品１１ｂでは、コンデンサ導体２２ａ，２２ｄが外部電極１４ｅに接続されている。また、コイル導体１８ｃ，１８ｄがそれぞれ、外部電極１４ａ，１４ｃに接続されている。これにより、コンデンサＣ１，Ｃ２はそれぞれ、外部電極１４ｅ（グランド）とコイルＬ３，Ｌ４との間に設けられるようになる。
【００６１】
フィルタ回路１０ｂ及び電子部品１１ｂも、フィルタ回路１０ａ及び電子部品１１ａと同じように、コモンモードの信号に対する周波数特性の広帯域化を図ることができるとともに、有効なノーマルモードの信号が除去されることを低減できる。
【００６２】
（第２の変形例）
以下に、第２の変形例に係るフィルタ回路１０ｃについて図面を参照しながら説明する。図６は、第２の変形例に係るフィルタ回路１０ｃの回路図である。
【００６３】
フィルタ回路１０ｃとフィルタ回路１０ａとの相違点は、グランド経路Ｇ１，Ｇ２がそれぞれ、枝部Ｇ１ａ，Ｇ１ｂ，Ｇ２ａ，Ｇ２ｂに枝分かれしている点、及び，コンデンサＣ３，Ｃ４が設けられている点である。
【００６４】
枝部Ｇ１ａは、外部電極１４ａ（信号経路Ｓｉｇ１の入力側の端部）とコイルＬ１との間に接続されている。枝部Ｇ１ｂは、外部電極１４ｂ（信号経路Ｓｉｇ１の出力側の端部）とコイルＬ１との間に接続されている。
【００６５】
枝部Ｇ２ａは、外部電極１４ｃ（信号経路Ｓｉｇ２の入力側の端部）とコイルＬ２との間に接続されている。枝部Ｇ２ｂは、外部電極１４ｄ（信号経路Ｓｉｇ２の出力側の端部）とコイルＬ２との間に接続されている。
【００６６】
コイルＬ３は、グランド経路Ｇ１上の枝部Ｇ１ａと枝部Ｇ２ａとの接続部分と外部電極１４ｅ（グランド）との間に設けられている。また、コイルＬ４は、グランド経路Ｇ２上の枝部Ｇ２ａと枝部Ｇ２ｂとの接続部分と外部電極１４ｅ（グランド）との間に設けられている。
【００６７】
コンデンサＣ１は、枝部Ｇ１ａ上に設けられている。コンデンサＣ２は、枝部Ｇ２ａ上に設けられている。コンデンサＣ３は、枝部Ｇ１ｂ上に設けられている。コンデンサＣ４は、枝部Ｇ２ｂ上に設けられている。
【００６８】
次に、第２の変形例に係るフィルタ回路１０ｃを内蔵している電子部品１１ｃの構成について図面を参照しながら説明する。図７は、第２の変形例に係るフィルタ回路１０ｃを内蔵している電子部品１１ｃの積層体１２の分解斜視図である。
【００６９】
電子部品１１ｃでは、コンデンサ導体２２ａの代わりにコンデンサ導体１２２ａ，１２２ｂが絶縁体層１６ｆの表面上に設けられている。コンデンサ導体１２２ａ，１２２ｂは、ｚ軸方向から平面視したときに、コンデンサ導体２２ｂと重なっている。これにより、コンデンサ導体１２２ａ及びコンデンサ導体２２ｂは、コンデンサＣ１を構成し、コンデンサ導体１２２ｂ及びコンデンサ導体２２ｂは、コンデンサＣ３を構成している。
【００７０】
また、コンデンサ導体１２２ａ，１２２ｂはそれぞれ、外部電極１４ａ，１４ｂに接続されている。これにより、コンデンサＣ１，Ｃ３はそれぞれ、外部電極１４ａ，１４ｂとコイルＬ３との間に設けられている。
【００７１】
更に、電子部品１１ｃでは、コンデンサ導体２２ｄの代わりにコンデンサ導体１２２ｃ，１２２ｄが絶縁体層１６ｋの表面上に設けられている。コンデンサ導体１２２ｃ，１２２ｄは、ｚ軸方向から平面視したときに、コンデンサ導体２２ｃと重なっている。これにより、コンデンサ導体１２２ｃ及びコンデンサ導体２２ｃは、コンデンサＣ２を構成し、コンデンサ導体１２２ｄ及びコンデンサ導体２２ｃは、コンデンサＣ４を構成している。
【００７２】
また、コンデンサ導体１２２ｃ，１２２ｄはそれぞれ、外部電極１４ｃ，１４ｄに接続されている。これにより、コンデンサＣ２，Ｃ４はそれぞれ、外部電極１４ｃ，１４ｄとコイルＬ４との間に設けられている。
【００７３】
フィルタ回路１０ｃ及び電子部品１１ｃも、フィルタ回路１０ａ及び電子部品１１ａと同じように、コモンモードの信号に対する周波数特性の広帯域化を図ることができるとともに、有効なノーマルモードの信号が除去されることを低減できる。
【００７４】
また、フィルタ回路１０ｃ及び電子部品１１ｃでは、コンデンサＣ３，Ｃ４を設けることにより、ノーマルモードの信号に対する共振周波数付近での挿入損失の変化を急峻にできる。その結果、フィルタ回路１０ｃ及び電子部品１１ｃが用いられる電子機器で使用される周波数帯域のノーマルモードの信号に対して、フィルタ回路１０ｃ及び電子部品１１ｃが影響を及ぼしにくくなる。よって、フィルタ回路１０ｃ及び電子部品１１ｃでは、有効なノーマルモードの信号が除去されることをより低減できる。
【００７５】
（第３の変形例）
以下に、第３の変形例に係るフィルタ回路１０ｄについて図面を参照しながら説明する。図８は、第３の変形例に係るフィルタ回路１０ｄの回路図である。
【００７６】
フィルタ回路１０ｄとフィルタ回路１０ｃとの相違点は、枝部Ｇ１ａ，Ｇ１ｂ，Ｇ２ａ，Ｇ２ｂの接続位置である。
【００７７】
枝部Ｇ１ａは、外部電極１４ａ（信号経路Ｓｉｇ１の入力側の端部）とコイルＬ１との間に接続されている。枝部Ｇ１ｂは、外部電極１４ｄ（信号経路Ｓｉｇ２の出力側の端部）とコイルＬ２との間に接続されている。
【００７８】
枝部Ｇ２ａは、外部電極１４ｃ（信号経路Ｓｉｇ２の入力側の端部）とコイルＬ２との間に接続されている。枝部Ｇ２ｂは、外部電極１４ｂ（信号経路Ｓｉｇ２の出力側の端部）とコイルＬ１との間に接続されている。フィルタ回路１０ｄのその他の構成については、フィルタ回路１０ｃと同じであるので説明を省略する。
【００７９】
次に、第３の変形例に係るフィルタ回路１０ｄを内蔵している電子部品１１ｄの構成について図面を参照しながら説明する。図９は、第３の変形例に係るフィルタ回路１０ｄを内蔵している電子部品１１ｄの積層体１２の分解斜視図である。
【００８０】
電子部品１１ｄでは、コンデンサ導体１２２ａ，１２２ｂはそれぞれ、外部電極１４ａ，１４ｄに接続されている。これにより、コンデンサＣ１，Ｃ３はそれぞれ、外部電極１４ａ，１４ｄとコイルＬ３との間に設けられている。
【００８１】
また、コンデンサ導体１２２ｃ，１２２ｄはそれぞれ、外部電極１４ｃ，１４ｂに接続されている。これにより、コンデンサＣ２，Ｃ４はそれぞれ、外部電極１４ｃ，１４ｂとコイルＬ４との間に設けられている。
【００８２】
フィルタ回路１０ｄ及び電子部品１１ｄも、フィルタ回路１０ａ及び電子部品１１ａと同じように、コモンモードの信号に対する周波数特性の広帯域化を図ることができるとともに、有効なノーマルモードの信号が除去されることを低減できる。
【００８３】
また、フィルタ回路１０ｄ及び電子部品１１ｄでは、コンデンサＣ３，Ｃ４を設けることにより、ノーマルモードの信号に対する共振周波数付近での挿入損失の変化を急峻にできる。その結果、フィルタ回路１０ｄ及び電子部品１１ｄが用いられる電子機器で使用される周波数帯域のノーマルモードの信号に対して、フィルタ回路１０ｄ及び電子部品１１ｄが影響を及ぼしにくくなる。よって、フィルタ回路１０ｄ及び電子部品１１ｄでは、有効なノーマルモードの信号が除去されることをより低減できる。
【００８４】
（第４の変形例）
以下に、第４の変形例に係るフィルタ回路１０ｅについて図面を参照しながら説明する。図１０は、第４の変形例に係るフィルタ回路１０ｅの回路図である。
【００８５】
フィルタ回路１０ｅとフィルタ回路１０ｃとの相違点は、枝部Ｇ１ａ，Ｇ１ｂ，Ｇ２ａ，Ｇ２ｂの接続位置である。
【００８６】
枝部Ｇ１ａは、外部電極１４ｂ（信号経路Ｓｉｇ１の出力側の端部）とコイルＬ１との間に接続されている。枝部Ｇ１ｂは、外部電極１４ｄ（信号経路Ｓｉｇ２の出力側の端部）とコイルＬ２との間に接続されている。
【００８７】
枝部Ｇ２ａは、外部電極１４ｃ（信号経路Ｓｉｇ２の入力側の端部）とコイルＬ２との間に接続されている。枝部Ｇ２ｂは、外部電極１４ａ（信号経路Ｓｉｇ２の出力側の端部）とコイルＬ１との間に接続されている。フィルタ回路１０ｅのその他の構成については、フィルタ回路１０ｃと同じであるので説明を省略する。
【００８８】
次に、第４の変形例に係るフィルタ回路１０ｅを内蔵している電子部品１１ｅの構成について図面を参照しながら説明する。図１１は、第４の変形例に係るフィルタ回路１０ｅを内蔵している電子部品１１ｅの積層体１２の分解斜視図である。
【００８９】
電子部品１１ｅでは、コンデンサ導体１２２ａ，１２２ｂはそれぞれ、外部電極１４ｂ，１４ｄに接続されている。これにより、コンデンサＣ１，Ｃ３はそれぞれ、外部電極１４ｂ，１４ｄとコイルＬ３との間に設けられている。
【００９０】
また、コンデンサ導体１２２ｃ，１２２ｄはそれぞれ、外部電極１４ｃ，１４ａに接続されている。これにより、コンデンサＣ２，Ｃ４はそれぞれ、外部電極１４ｃ，１４ａとコイルＬ４との間に設けられている。
【００９１】
フィルタ回路１０ｅ及び電子部品１１ｅも、フィルタ回路１０ａ及び電子部品１１ａと同じように、コモンモードの信号に対する周波数特性の広帯域化を図ることができるとともに、有効なノーマルモードの信号が除去されることを低減できる。
【００９２】
また、フィルタ回路１０ｅ及び電子部品１１ｅでは、コンデンサＣ３，Ｃ４を設けることにより、ノーマルモードの信号に対する共振周波数付近での挿入損失の変化を急峻にできる。その結果、フィルタ回路１０ｅ及び電子部品１１ｅが用いられる電子機器で使用される周波数帯域のノーマルモードの信号に対して、フィルタ回路１０ｅ及び電子部品１１ｅが影響を及ぼしにくくなる。よって、フィルタ回路１０ｅ及び電子部品１１ｅでは、有効なノーマルモードの信号が除去されることをより低減できる。
【００９３】
なお、フィルタ回路１０ａ〜１０ｅは、電子部品１１ａ〜１１ｅにより実現されるとしたが、例えば、複数の電子部品が回路基板に実装されることにより構成されていてもよい。
【産業上の利用可能性】
【００９４】
以上のように、本発明は、フィルタ回路及び電子部品に有用であり、特に、コモンモードの信号に対する周波数特性の広帯域化を図ることができるとともに、有効なノーマルモードの信号が除去されることを低減できる点において優れている。
【符号の説明】
【００９５】
Ｃ１〜Ｃ４  コンデンサ
Ｇ１，Ｇ２  グランド経路
Ｇ１ａ，Ｇ１ｂ，Ｇ２ａ，Ｇ２ｂ  枝部
Ｌ１〜Ｌ４  コイル
Ｌ１０１，Ｌ１０２  コモンモードチョークコイル
Ｓｉｇ１，Ｓｉｇ２  信号経路
１０ａ〜１０ｅ  フィルタ回路
１１ａ〜１１ｅ  電子部品
１２  積層体
１４ａ〜１４ｅ  外部電極
１６ａ〜１６ｋ  絶縁体層
１８ａ〜１８ｄ  コイル導体
２０ａ，２０ｂ  引き出し導体
２２ａ〜２２ｄ，１２２ａ〜１２２ｄ  コンデンサ導体
【図１】
0005516160.tif 000002
【図２】
0005516160.tif 000003
【図３】
0005516160.tif 000004
【図４】
0005516160.tif 000005
【図５】
0005516160.tif 000006
【図６】
0005516160.tif 000007
【図７】
0005516160.tif 000008
【図８】
0005516160.tif 000009
【図９】
0005516160.tif 000010
【図１０】
0005516160.tif 000011
【図１１】
0005516160.tif 000012
【図１２】
0005516160.tif 000013
【図１３】
0005516160.tif 000014